(57)【特許請求の範囲】
【請求項１】
水側及び湯側の一対のクランク脚にて壁に固定される水栓本体をカバーで覆って成るカバー付き水栓であって
前記水栓本体に対して前記カバーの取付用のブラケットを固定して、該ブラケットに対して前記カバーを固定してあり
該ブラケットは前記水栓本体に固定される本体側固定部と、前記カバーを固定するカバー側固定部とを有する固定機能部を備えており、
該固定機能部は該本体側固定部から延出し、該本体側固定部とは離隔した位置に前記カバー側固定部を有しており、
前記ブラケットは、前記カバーからの荷重を前記水栓本体に伝達する荷重伝達部を有しており、該荷重伝達部が該水栓本体の上側に載せてあることを特徴とするカバー付き水栓。
【請求項２】
請求項１において、前記水栓本体及び前記カバーが使用者からの正面視で左右方向に横長の形状をなしており、
前記ブラケットは前記固定機能部を左，右に一対備えていて、それら左，右の固定機能部が、前記水栓本体に沿って左右方向に延びる連結本体部及び該連結本体部から上下方向に折れ曲り、該連結本体部を補強する折曲げ部を有する連結部で連結された形態の一体構造体をなしていることを特徴とするカバー付き水栓。
【請求項３】
水側及び湯側の一対のクランク脚にて壁に固定される水栓本体をカバーで覆って成るカバー付き水栓であって
前記水栓本体に対して前記カバーの取付用のブラケットを固定して、該ブラケットに対して前記カバーを固定してあり
該ブラケットは前記水栓本体に固定される本体側固定部と、前記カバーを固定するカバー側固定部とを有する固定機能部を備えており、
該固定機能部は該本体側固定部から延出し、該本体側固定部とは離隔した位置に前記カバー側固定部を有しており、
また、前記水栓本体及び前記カバーが使用者からの正面視で左右方向に横長の形状をなしており、
前記ブラケットは前記固定機能部を左，右に一対備えていて、それら左，右の固定機能部が、前記水栓本体に沿って左右方向に延びる連結本体部及び該連結本体部から上下方向に折れ曲り、該連結本体部を補強する折曲げ部を有する連結部で連結された形態の一体構造体をなしていることを特徴とするカバー付き水栓。
【請求項４】
水側及び湯側の一対のクランク脚にて壁に固定される水栓本体をカバーで覆って成るカバー付き水栓であって
前記水栓本体に対して前記カバーの取付用のブラケットを固定して、該ブラケットに対して前記カバーを固定してあり
該ブラケットは前記水栓本体に固定される本体側固定部と、前記カバーを固定するカバー側固定部とを有する固定機能部を備えており、
該固定機能部は該本体側固定部から延出し、該本体側固定部とは離隔した位置に前記カバー側固定部を有しており、
また、前記カバーが、前記一対のクランク脚ごと前記水栓本体を覆う本体カバーと、該本体カバーと前記壁との間の隙間を隠蔽する隙間カバーを有していて、該隙間カバーが前記ブラケットにより前記壁に向かって前後方向にスライド可能に保持されていることを特徴とするカバー付き水栓。
【発明の詳細な説明】
【技術分野】
【０００１】
この発明は水栓本体をカバーで覆って成るカバー付き水栓に関し、特に水栓本体が水側及び湯側の一対のクランク脚にて壁に固定されるクランク脚付きのカバー付き水栓に関する。
【背景技術】
【０００２】
水栓本体が水側及び湯側の一対のクランク脚にて壁に固定されるクランク脚付きの壁付きの混合水栓として、従来、水栓本体の本体ボデーを金属の鋳物製とし、その内部に弁部その他の水栓機構部を内蔵させた形態のものが広く用いられている。
この種の水栓では、壁裏の元配管に接続状態に壁に取り付けた水側及び湯側の一対のクランク脚によって水栓本体を支持することができる。
また水側及び湯側の左右一対のクランク脚を壁面と平行方向に回転させてその回転角度を調整し、また一対のクランク脚の元配管へのねじ込み量をそれぞれ調節することで、水栓本体を水平姿勢に姿勢調節したり、水栓本体と壁との間隔を左右（使用者から見た正面視において左右）均等にしたり、或いは水栓本体の、左右一対のクランク脚との接続部間の間隔と、壁側の水及び湯の元配管の接続部間の間隔のずれを吸収したりすることができる。
【０００３】
ところで従来の水栓の場合、金属製の鋳物製の本体ボデーがそのまま水栓の外観を成しており、そこで水栓の意匠性を高めるべく、従来にあっては一般に本体ボデー外面にメッキを施して外面を美麗に仕上げることを行っている。
【０００４】
しかしながらこの場合、良好な外観を実現するために本体ボデーに余剰の肉を付けて外面をフラットとし、研磨処理を施した上でメッキ処理することとなるため、本体ボデーが必然的に重くなって施工作業がしづらくなり、また鋳物材料の使用量も多くなるとともに、研磨及びメッキ処理の工程が必要となってコストも高くなってしまう。
【０００５】
また使用者が本体ボデーに触れたときの火傷防止などのために、本体ボデーにウォータージャケット構造を設けて、そこに水を巡らすようにしており、そのウォータージャケット構造のために本体ボデーの構造が複雑化し、また重量も重くなってしまう。
【０００６】
水栓本体をカバーで覆って成るカバー付き水栓では、こうした問題を解決することができる。
具体的にはカバー付き水栓の場合、カバーが水栓の外観を成すために水栓の本体ボデーに余剰の肉を付けてその外面を凹凸の無いフラットな形に形成したりしなくても良く、重量を軽量化することができる。
またカバーによって、使用者が直接本体ボデーに触れるのを防ぐことが可能となり、従来本体ボデーに設けていたウォータージャケット構造を省くことも可能となる。
更にカバー付き水栓にあっては、カバーの種類を変えることで様々な外観を水栓に与えることが可能となる。
【０００７】
カバー付き水栓にあっては、カバーを壁に直接固定することも可能であるが、クランク脚にて水栓本体が壁に固定されるクランク脚付きの水栓にあっては、水栓本体がクランク脚を介して壁により支持されていることから、かかる水栓本体に対してカバーを固定するのが好都合である。
このようにすれば、カバーを施工現場にて取付施工する必要がある場合に取付作業が容易となる。
【０００８】
カバー付き水栓の１つの特長として、同じ水栓本体を用いながらカバーを変えることで、水栓の外観，デザインを様々に変化させることができる利点があるが、水栓本体，カバーの形状や大きさ等によって、カバーを所望の固定個所で水栓本体に固定するといったことが難しい場合が生じる。
例えば、水栓本体に対してカバーの大きさが著しく大きい場合、カバーを水栓本体に直接固定することが難しい場合が生じる。
【０００９】
カバー付き水栓においては、一般に樹脂製のカバーが用いられ、この場合、できるだけカバーの外周側縁部に近い個所でカバーを水栓本体に固定するのが望ましい。
カバーに固定部を設けて、その固定部でカバーを水栓本体に固定する場合、その固定部がカバー中央側にあると、その固定部は一般に周囲に対して部分的に厚肉となるために、その部分でカバー成形時にひけを生じ易く、そのことがカバーの外観に悪影響を与える。
これに対して固定部がカバーの外周側縁部に近い位置であると、固定部の存在によるカバー外観への影響を小さく抑制でき、また固定部がカバーの外周側縁部に近い位置であることによってカバー固定作業も行い易くなる。
【００１０】
ところがカバーが水栓本体に対して著しく大きい場合には、カバーを外周側縁部に近い位置で固定しようとしても、そこにはカバーを固定すべき水栓本体の被固定部が存在していないといったことが生じ、この場合にはカバーを直接水栓本体に固定するといったことが難しくなる。
尤もカバーの外周側縁部からアームを延び出させて、そのアームの先端側を水栓本体に固定するといったことも考えられるが、この場合、カバーに荷重が加わるとその荷重がアームの部分に集中的に作用することとなり、アームの強度がその荷重に耐えられず、損傷を生じてしまうといった不具合が発生し易い。
【００１１】
尚、本発明に対する先行技術として下記特許文献１，特許文献２に開示されたものがある。
これら特許文献には、水栓本体を覆うカバーを備えた点が開示され、また水栓設置に際してブラケットを用いる点が開示されているが、これら特許文献１，２に開示の何れのものにおいても、ブラケットは水栓本体を壁に固定するためのものとして用いられており、本発明とは異なる。
更に特許文献２に開示のものでは、カバーを壁に直接固定するようにしており、この点でも本発明とは異なる。
【先行技術文献】
【特許文献】
【００１２】
【特許文献１】特開２００４−１５０２１２号公報
【特許文献２】特許第３２８１９７９号公報
【発明の概要】
【発明が解決しようとする課題】
【００１３】
本発明は以上のような事情を背景とし、カバーを大きさの如何に拘らず所望の位置で水栓本体に固定することを可能とするクランク脚付きのカバー付き水栓を提供することを目的としてなされたものである。
【課題を解決するための手段】
【００１４】
而して請求項１のものは、水側及び湯側の一対のクランク脚にて壁に固定される水栓本体をカバーで覆って成るカバー付き水栓であって、前記水栓本体に対して前記カバーの取付用のブラケットを固定して、該ブラケットに対して前記カバーを固定してあり、該ブラケットは前記水栓本体に固定される本体側固定部と、前記カバーを固定するカバー側固定部とを有する固定機能部を備えており、該固定機能部は該本体側固定部から延出し、該本体側固定部とは離隔した位置に前記カバー側固定部を有しており、前記ブラケットは、前記カバーからの荷重を前記水栓本体に伝達する荷重伝達部を有しており、該荷重伝達部が該水栓本体の上側に載せてあることを特徴とする。
【００１５】
請求項２のものは、請求項１において、前記水栓本体及び前記カバーが使用者からの正面視で左右方向に横長の形状をなしており、前記ブラケットは前記固定機能部を左，右に一対備えていて、それら左，右の固定機能部が、前記水栓本体に沿って左右方向に延びる連結本体部及び該連結本体部から上下方向に折れ曲り、該連結本体部を補強する折曲げ部を有する連結部で連結された形態の一体構造体をなしていることを特徴とする。
【００１６】
請求項３のものは、水側及び湯側の一対のクランク脚にて壁に固定される水栓本体をカバーで覆って成るカバー付き水栓であって、前記水栓本体に対して前記カバーの取付用のブラケットを固定して、該ブラケットに対して前記カバーを固定してあり、該ブラケットは前記水栓本体に固定される本体側固定部と、前記カバーを固定するカバー側固定部とを有する固定機能部を備えており、該固定機能部は該本体側固定部から延出し、該本体側固定部とは離隔した位置に前記カバー側固定部を有しており、また、前記水栓本体及び前記カバーが使用者からの正面視で左右方向に横長の形状をなしており、前記ブラケットは前記固定機能部を左，右に一対備えていて、それら左，右の固定機能部が、前記水栓本体に沿って左右方向に延びる連結本体部及び該連結本体部から上下方向に折れ曲り、該連結本体部を補強する折曲げ部を有する連結部で連結された形態の一体構造体をなしていることを特徴とする。
【００１７】
請求項４のものは、水側及び湯側の一対のクランク脚にて壁に固定される水栓本体をカバーで覆って成るカバー付き水栓であって、前記水栓本体に対して前記カバーの取付用のブラケットを固定して、該ブラケットに対して前記カバーを固定してあり、該ブラケットは前記水栓本体に固定される本体側固定部と、前記カバーを固定するカバー側固定部とを有する固定機能部を備えており、該固定機能部は該本体側固定部から延出し、該本体側固定部とは離隔した位置に前記カバー側固定部を有しており、また、前記カバーが、前記一対のクランク脚ごと前記水栓本体を覆う本体カバーと、該本体カバーと前記壁との間の隙間を隠蔽する隙間カバーを有していて、該隙間カバーが前記ブラケットにより前記壁に向かって前後方向にスライド可能に保持されていることを特徴とする。
【発明の作用・効果】
【００１８】
以上のように本発明は、水側及び湯側の一対のクランク脚にて壁に固定される水栓本体をカバーで覆って成るカバー付き水栓において、水栓本体に対してカバー取付用のブラケットを固定し、そのブラケットに対してカバーを固定するようになしたものである。
【００１９】
またそのブラケットは、水栓本体に固定される本体側固定部と、カバーを固定するカバー側固定部とを有する固定機能部とを備え、そしてその固定機能部を、本体側固定部から延出し、本体側固定部とは離隔した位置にカバー側固定部を有するものとなしたもので、本発明によれば、カバーに設けた固定部の位置の如何によらず、また水栓本体におけるカバーを固定する部分（被固定部）の位置の如何によらず、ブラケットを介することでカバーを水栓本体に固定することができる。
【００２０】
従って本発明によれば、カバーにおける固定部を所望の位置に設けることができ、カバーをその所望位置の固定部において水栓本体に良好に取付固定することが可能となる。
また人の力が加えられる等してカバーに荷重がかかった場合、カバーに設けた固定部の位置に水栓本体が存在していない場合であっても、カバーに加わった荷重をブラケットにて受け、更にブラケットを介して荷重を水栓本体に伝えることができる。
【００２１】
本発明はまた、上記ブラケットを、カバーからの荷重を水栓本体に伝達する荷重伝達部を有するものとなし、そしてその荷重伝達部を水栓本体の上側に載せる構造でブラケットを水栓本体に固定したもので、本発明によれば、ブラケットに加わった荷重を、荷重伝達部から水栓本体の側に良好に伝達し、水栓本体にてその荷重をしっかりと受け、支えることができる。
尚、水栓本体に加わった荷重は一対のクランク脚を介して壁に伝えられ、最終的にはその壁にて支持されることとなる。
【００２２】
次に請求項３は、水栓本体及びカバーが使用者からの正面視で左右方向に横長の形状をなしている場合において、ブラケットを、上記の固定機能部を左，右に一対備え、それら左，右の固定機能部を、水栓本体に沿って左右方向に延びる連結本体部及び連結本体部から上下方向に折れ曲り、連結本体部を補強する折曲げ部を有する連結部で連結した形態の一体構造体となしたものである。
【００２３】
ブラケットをこのように構成することで、横長の形状をなすカバーを、同じく横長の形状をなす水栓本体に良好に取付固定することができる。
またブラケットを高強度，高剛性の一体構造体となし得ることから、カバーに加わった荷重を固定機能部だけでなくブラケット全体でしっかりと受け止め、その荷重を水栓本体へと伝えることができる。
例えば、左の固定機能部，右の固定機能部のそれぞれを単独で別体に構成し、カバーと水栓本体とを左，右の固定機能部単独で連結状態に固定した場合には、カバーに加わった荷重が左，右の一対の固定機能部だけに集中的に強く作用することとなり、この場合、固定機能部がその荷重に耐え切れずに変形を生ずるなどして、カバーからの荷重をしっかりと受けることが難しい。
【００２４】
しかるにブラケットを、左の固定機能部と右の固定機能部とを上記の連結部で連結した一体構造体となしておくことで、固定機能部に加わった荷重を左，右の固定機能部だけでなく一体構造体をなすブラケット全体で受けることができる。
【００２５】
次に請求項４は、上記カバーを、一対のクランク脚ごと水栓本体を覆う本体カバーと、その本体カバーと壁との間の隙間を隠蔽する隙間カバーとを有するものとなし、その隙間カバーを、上記ブラケットにより壁に向って前後方向にスライド可能に保持するようになしたものである。
【００２６】
クランク脚によって水栓本体を壁に取り付ける形式のクランク脚付きのカバー水栓において、カバーにより主として水栓本体だけを覆い、クランク脚を露出させたままとしておくこともできる。
このようにクランク脚を露出させる形式のカバー付き水栓では、工場生産段階で予め水栓本体にカバーを取り付けておき、そのカバー付きの水栓本体を施工現場でクランク脚にて壁に取付施工することができ、施工が容易であるといった利点がある。
【００２７】
しかしながら一方で、このようなカバー付き水栓の場合、水栓設置状態でクランク脚が外部に露出して水栓の外観の一部をなすため、従来のカバー無しの水栓と同様に、クランク脚にメッキ処理を施して外観を美麗に仕上げておかなければならず、そのための処理にコストが多くかかってしまう。
【００２８】
またその他に、水栓設置状態でクランク脚が外部に露出していると、クランク脚は複雑な屈曲形状をしているために水栓の外観が煩雑化してしまう他、クランク脚が汚れの付き易い個所となり、しかもクランク脚は上記のように複雑な屈曲形状をしているために掃除がしにくく、汚れが付いたままとなり勝ちで、そのことが水栓の外観を悪化させる。
【００２９】
そこでこのような水側及び湯側の一対のクランク脚を水栓本体とともに内側に隠すように、カバーにてそれらを外側から覆っておくといったことが考えられる。
但しこの場合、カバーの壁側の端と壁との間に、クランク脚の壁へのねじ込み量のばらつき等の施工上の誤差により隙間が生じ、その隙間が水栓の美観を損なう要因となる。
【００３０】
ここにおいて請求項４では、カバーを、クランク脚ごと水栓本体を覆う本体カバーと、本体カバー及び壁間の隙間を隠蔽する隠蔽カバーとを有するものとなしたもので、カバー付き水栓を施工する際に、その隙間カバーによる隠蔽によって、水栓設置状態の美観を良好とすることができる。
またその隙間カバーをブラケットによりスライド可能に保持するようになすことで、かかる隙間カバーを本体カバーにてスライド可能に保持する場合に比べて、隙間カバーの保持及び固定の構造を簡素化することができる。
【図面の簡単な説明】
【００３１】
【図１】本発明の一実施形態であるカバー付き水栓の外観斜視図である。
【図２】図１のカバー付き水栓の正面図である。
【図３】図１，図２とは異なる方向で示したカバー付き水栓の外観斜視図である。
【図４】図１のカバー付き水栓の左側面図である。
【図５】図１のカバー付き水栓を、上カバー及び下カバーを除いた状態で示した図である。
【図６】図１のカバー付き水栓のカバーを分解して水栓本体とともに示した図である。
【図７】図１のカバー付き水栓における本体ボデーにクランク脚を接続した状態を示した図である。
【図８】図１のカバー付き水栓におけるブラケット及び隙間カバーを示した図である。
【図９】（Ａ）：図１のカバー付き水栓における上カバーの要部を拡大して示した図である。（Ｂ）：図１のカバー付き水栓におけるカバーの固定構造を示した図である。
【図１０】図１のカバー付き水栓における温調ハンドルの組付構造を周辺部とともに示した図である。
【図１１】（Ａ）：図１０の摺動リングを周辺部とともに拡大して示した図である。（Ｂ）：図１０のハンドル支持部材と本体ボデーとの固定部分を拡大して示した図である。
【図１２】図１０の温調ハンドル周辺部品の分解斜視図である。
【図１３】図１０の温調ハンドルを示した図である。
【図１４】図１０の摺動リングを示した図である。
【図１５】図１のカバー付き水栓における切替ハンドルの組付構造を周辺部とともに示した図である。
【図１６】図１０の切替ハンドル周辺部品の分解斜視図である。
【発明を実施するための形態】
【００３２】
次に本発明の実施形態を図面に基づいて詳しく説明する。
図１〜図４において、１０はクランク脚を備えた壁付きのカバー付き水栓（混合水栓）で、図６に示しているようにハウジングをなす本体ボデー１２の内部に温調弁ユニット１３８（図１０），切替弁ユニット１４８（図１５）その他の水栓機構部を内蔵した水栓本体１４と、壁Ｗ（図５参照）裏に配管された給水用の元配管，給湯用の元配管からの水，湯をそれぞれ水栓本体１４に供給する給水用の配管，給湯用の配管を兼ねた水側のクランク脚１６，湯側のクランク脚１８と、それらを全体的に囲い込むカバー（ここでは樹脂製）２０を含んで構成されている。
ここで本体ボデー１２は金属の鋳物から成っている。但し外面の研磨及びメッキ処理は施されておらず、外面は鋳肌そのままとなっている。
【００３３】
この実施形態において、カバー２０は、図６に示しているように水栓本体１４に下向きに被せられて、水側及び湯側の一対のクランク脚１６，１８ごと水栓本体１４上側から覆う上カバー４２と、一対のクランク脚１６，１８ごと水栓本体１４を下側から覆う下カバー４４とから成る本体カバー２１と、本体カバー２１の壁Ｗ側の端と壁Ｗとの間の隙間を隠蔽する隙間カバー４６とを有している。
【００３４】
この実施形態において、図６に示しているように水栓本体１４及びカバー２０は、使用者からの正面視において横長の形状をなしており、またカバー２０は、水栓本体１４に対して左右方向の寸法が著しく大きく、左右の各端が水栓本体の左右の各端よりも左右方向に大きく離隔して位置している。
【００３５】
この実施形態のカバー付き水栓（以下単に水栓とすることがある）１０は浴室の洗い場用の水栓として好適なもので、カバー２０は小物置きの棚として構成されており、その上面にシャンプーその他の小物品が載置できるようになしてある。
本実施形態ではカバー２０にそのような機能を付与するため、カバー２０が水栓本体１４に対して大きく構成されている。
【００３６】
水栓本体１４は、金属製の一対のクランク脚１６，１８にて壁Ｗに固定され、そして水栓本体１４にカバー２０が固定されている。
【００３７】
クランク脚１６，１８は、図７に示しているように壁Ｗ裏の元配管にシール状態にねじ接続されて、壁Ｗから水平方向に突き出す雄ねじ管から成る管体２２と、これから壁面と平行方向に直角に折れ曲った管体２４とを有しており、その管体２４の先端部に袋ナット２６が設けられている。
ここで水側のクランク脚１６及び湯側のクランク脚１８における一対の管体２４は、正面視においてハ字状をなしている。
そしてこの袋ナット２６により管体２４の先端部が水栓本体１４、詳しくは本体ボデー１２に備えられた、外周面に雄ねじを有する水側，湯側の接続口２８にねじ接続されている。
尚図７において、３０は壁Ｗ裏の元配管とクランク脚１６，１８の管体２２との接続部を覆って隠蔽する椀座である。
【００３８】
一方、本体ボデー１２の前部からはカラン側の吐水口３２が下向きに突出しており、また図５にも示しているようにその背面からは、シャワー水をシャワーホースを介してシャワーヘッドに吐水するシャワーエルボ３４が下向きに突出している。
尚、図７に示すようにカラン側の吐水口３２の先端部には雄ねじ部が設けられていて、そこにキャップ３５（図６参照）が螺着されている。
【００３９】
この本体ボデー１２を含む水栓本体１４の左端側（使用者からの正面視において左端側）には温調（温度調節）ハンドル３８が、また右端側には切替ハンドル４０がそれぞれ回転操作可能に取り付けられており、これら温調ハンドル３８，切替ハンドル４０が、図１〜図４に示すようにカバー２０から左右方向に突出せしめられている。
ここで温調ハンドル３８は、回転操作によって吐水の温度調節を行う。また切替ハンドル４０は、回転操作によってカラン側の吐水口３２からの吐水と、シャワーエルボ３４からの吐水との切替えを行うとともに、カラン側の吐水口３２及びシャワーエルボ３４からの吐水の流量調節と吐止水とを行う。
尚、温調ハンドル３８及び切替ハンドル４０周りの構造については後に詳しく説明する。
【００４０】
上記の上カバー４２は、略水平方向に平坦な板状の上面カバー部４８と、上面カバー部４８の前端から立ち下がった板状の前面カバー部５０と、上面カバー部４８の左右各一端から立ち下がった一対の板状の側面カバー部５２とを有する、下面が開放された箱型形状とされており、その上面カバー部４８によって、水側及び湯側の一対のクランク脚１６，１８ごと水栓本体１４を上側から覆い、また前面カバー部５０によって水栓本体１４の上部を前側から覆い、更に一対の側面カバー部５２によって、一対のクランク脚１６，１８ごと水栓本体１４の上部を側方から覆っている。
ここで一対の側面カバー部５２には、温調ハンドル３８と切替ハンドル４０とを突出させるための略半円形状の切欠部５４が設けられている。
【００４１】
また上カバー４２の内面には、縦横にリブ５８が設けられている。
尚、上カバー４２はその全体を一体成形しておくこともできるし、或いは上面カバー部４８と前面カバー部５０及び一対の側面カバー部５２を含む外周の枠部とを別体に構成して、それらを組み付けることで上カバー４２を構成するようにしても良い。
【００４２】
一方下カバー４４は、図６に示すように略水平方向に延びる平坦な板状の下面カバー部６０と、図２，図３及び図４に示しているように下面カバー部６０の前端から斜め上方に立ち上がる傾斜形状の前面カバー部６２と、下面カバー部６０の左右両端から同じく斜め上方に立ち上がる一対の傾斜形状の側面カバー部６４とを有しており、その下面カバー部６０によって水側及び湯側の一対のクランク脚１６，１８ごと水栓本体１４を下側から覆い、また前面カバー部６２によって水栓本体１４の下部を前側から覆い、更に一対の側面カバー部６４によって、一対のクランク脚１６，１８ごと水栓本体１４の下部を側方から覆っている。
【００４３】
ここで一対の側面カバー部６４には、図６に示しているように温調ハンドル３８，切替ハンドル４０を突出させるための、側面視形状が略半円形状の凹陥部６６が設けられている。
また下面カバー部６０には、水栓本体１４の上記のカラン側の吐水口３２を下向きに突出させるための円形且つ貫通の開口部６８と、シャワーエルボ３４を下向きに突出させるための長穴形状の貫通の開口部７０とが設けられている。
【００４４】
この下カバー４４の下面カバー部６０は、一対のクランク脚１６，１８における管体２２の上部の高さ位置で、水栓本体１４を下側から覆う主部６０Ａと、一対のクランク脚１６，１８を下側から覆う脚カバー部６０Ｂ（図３参照）とを有している。
脚カバー部６０Ｂは、図３に示しているように下向きに湾曲して突出した逆ブリッジ状をなしており、管体２２に組み込まれた止水栓の回転式の操作部７２、及びストレーナを脱着操作するための回転式の操作部７４を操作するための開口部７６をその前端位置に形成している。
ここで開口部７６は、使用者側の前方に向けて開口した正面方向の開口部とされている。
【００４５】
尚、一対の側面カバー部６４と前面カバー部６２とには、上カバー４２の側面カバー部５２と前面カバー部５０とに内嵌して、下カバー４４と上カバー４２とを左右方向及び前後方向に位置決めするリブ６３が設けられている。
上記隙間カバー４６は、図８に示しているように板状をなす平坦な上面閉鎖部７８と、一対の側面閉鎖部８０と、更に上面閉鎖部７８の前端から立ち下がり、それら上面閉鎖部７８及び一対の側面閉鎖部８０を連結する前面部８１とを有している。
【００４６】
ここで側面閉鎖部８０は、上面閉鎖部７８の左右両端から垂直に立ち下がる上部８０Ａと、上部８０Ａの下端から下カバー４４の側面カバー部６４に対応した傾斜形状で斜め下向きに延びる下部８０Ｂとを有している。
上部８０Ａは、隙間カバー４６を壁Ｗに向けてスライド移動させる際に上カバー４２の内側をスライド移動し、また下部８０Ｂは、下カバー４４の傾斜形状の側面カバー部６４の内側を前後方向にスライド移動する。
【００４７】
本実施形態のカバー付き水栓１０を現場設置する際、上カバー４２及び下カバー４４と壁Ｗとの間に施工上隙間が生じてしまう。
この隙間カバー４６はその隙間を埋め、閉鎖する働きを有するもので、隙間カバー４６を後述のブラケット８２による支持の下で後方にスライド移動させ、壁Ｗに当てることで、上カバー４２及び下カバー４４と壁Ｗとの間の隙間を閉鎖することができる。
【００４８】
本実施形態のカバー付き水栓１０では、施工に際して、先ず一対のクランク脚１６，１８が壁Ｗ裏の元配管への接続状態で壁Ｗに固定され、次いで一対のクランク脚１６，１８に対して水栓本体１４が固定された後に、その水栓本体１４に対してカバー２０が固定される。
この実施形態では、カバー２０を水栓本体１４に固定するための、補強部材を兼ねた金属製の剛性のブラケット８２を有しており、カバー２０はそのブラケット８２に対して直接固定される。
【００４９】
以下その固定構造を詳しくは説明する。
先ずブラケット８２の水栓本体１４への固定構造をブラケット８２の構成とともに説明する。
図５及び図７に示しているように、水栓本体１４には左，右の各端部に鍔状の被固定部８６が一体に設けられている。
この被固定部８６には、図７に示しているように固定用の挿通孔８７が設けられている。
【００５０】
ブラケット８２は、図８に示しているように金属板材をプレス曲げ加工して構成したもので、左右方向に離隔した位置に一対の板状の固定機能部８８を有し、そしてそれらを連結部１００にて左右に連結した形態の一体構造体をなしている。
【００５１】
連結部１００は、図８に示しているように左，右の固定機能部８８から下向きに延びる左，右の一対の板状の立下り部２５０，各立下り部２５０の下端から水栓本体１４に沿って左右方向に延びる板状の連結本体部２５２，連結本体部２５２の前端で左右方向に延び、前方斜め上向きに傾斜形状で立ち上がる折曲げ部２５４（図９（Ｂ）参照）を有している。
ここで折曲げ部２５４は板状の連結本体部２５２の強度補強用として設けられている。
連結部１００は、一対の固定機能部８８から水栓本体１４の下側に回り込み、連結本体部２５２及び折曲げ部２５４を水栓本体１４の下側に位置させている。
ここで連結本体部２５２には、水栓本体１４のカラン側の吐水口３２を挿通させるためのＵ字状の切欠部２５６が設けられている。
【００５２】
一対の固定機能部８８のそれぞれは、水栓本体１４の被固定部８６に固定される本体側固定部９０を有している。
固定機能部８８は、この本体側固定部９０からそれぞれ左方向，右方向に延出しており、そして本体側固定部９０から左方向，右方向にそれぞれ離隔した位置において、上カバー４２，下カバー４４及び隙間カバー４６を固定するためのカバー側固定部９２を有している。
ここで本体側固定部９０とカバー側固定部９２とは、その上面がほぼ同一面上に位置する状態に設けられている。
そして一対の固定機能部８８のそれぞれに、固定具としてのボルト等を挿通する挿通孔９４及び雌ねじ孔９６，９８が設けられている。
【００５３】
本体側固定部９０はまた、荷重伝達部としての働きも有しており、ブラケット８２は、図５に示しているように荷重伝達部となる本体側固定部９０を水栓本体１４の被固定部８６上に載置した状態で、ビス１０２を水栓本体１４における被固定部８６の挿通孔８７に挿通し、本体側固定部９０の雌ねじ孔９６にねじ込むことで、水栓本体１４に固定されている。
【００５４】
一方上カバー４２には、側面視形状がコ字形状をなす固定部１０４が上カバー４２の左側端部と右側端部とにそれぞれ設けられている。
これら固定部１０４には、図９（Ａ）に示すようにその底部に挿通孔１０６が設けられ、またその内部には、図９（Ｂ）に示しているようにナット１０８が保持されている。
上カバー４２は、図９（Ｂ）に示しているようにボルト１１０をカバー側固定部９２の挿通孔９４に上向きに挿通し、更に上カバー４２の固定部１０４の挿通孔１０６を挿通して、固定部１０４内部に保持されたナット１０８にねじ込むことで、ブラケット８２に固定される。
【００５５】
尚上カバー２０には、図６に示しているようにその前端部且つ左右両端部に下カバー４４との固定用の一対の固定部１１２が設けられている。
これら固定部１１２には挿通孔１１４が設けられ、更にその内部にはナット１０８（図９（Ｂ）参照）が保持されている。
一方下カバー４４の対応する前端部且つ左右両端部には、円筒状の固定部１１６が設けられている。図６及び図９（Ｂ）に示すようにこれら固定部１１６にもまた挿通孔１１８が設けられている。
【００５６】
上カバー４２と下カバー４４とは、下カバー４４の固定部１１６の挿通孔１１８を挿通してボルト１１０を下側から上向きに挿通し、更にそれらボルト１１０を上カバー２０の固定部１１２における挿通孔１１４を挿通して、それらの内部に保持されたナット１０８にねじ込むことで互いに固定される。
【００５７】
下カバー４４にはまた、図６に示しているようにその後端部且つ左右両端部に、下カバー４４をブラケット８２に固定するための一対の固定部１２０が設けられている。
これら固定部１２０は下端が開口し、上端に底部を有する有底円筒状をなしており、その上端の底部に挿通孔１２２が設けられている。
他方隙間カバー４６には、図８に示しているように前方に延出する一対の固定部１２４が左，右の各端部に設けられており、それぞれに前後方向に長穴形状をなす挿通孔１２６が設けられている。
【００５８】
この固定部１２４にはまた、上向きの立上り部１２８に、前後方向に延びるスライド部１３０が設けられている。
このスライド部１３０の下側には溝１３２が形成されており、そこにブラケット８２における固定機能部８８のスライド保持部１３４が挿入されている。
隙間カバー４６は、スライド部１３０においてブラケット８２のスライド保持部１３４により前後方向にスライド可能に保持されている。
【００５９】
この実施形態において、下カバー４４と隙間カバー４６とは次のようにしてブラケット８２のカバー側固定部９２に固定される。
即ち、図８（Ｂ）及び図９（Ｂ）に示しているように隙間カバー４６の固定部１２４を、ブラケット８２のカバー側固定部９２と下カバー４４の固定部１２０との間に挟み込んだ状態で、図８（Ｂ）及び図９（Ｂ）に示すビス１３６を、固定部１２０の挿通孔１２２及び隙間カバー４６の固定部１２４の長穴状の挿通孔１２６に挿通して、ブラケット８２の雌ねじ孔９８にねじ込むことで、それら下カバー４４と隙間カバー４６とがブラケット８２に固定される。
尚ビス１３６を緩めた状態では、隙間カバー４６は前後方向にスライド可能である。
【００６０】
上記回転式の温調ハンドル３８は樹脂製のもので、図１０に示しているように水栓本体１４、詳しくは、本体ボデー１２内部に組み込まれた温調弁ユニット１３８の駆動軸（被固定部）１４０に一体回転状態に連結されている。
温調ハンドル３８は、この駆動軸１４０を回転させることで、温調弁ユニット１３８のハウジング１４２内で回転体１４４を回転させ、その回転体１４４の回転により混合弁体を軸方向（図１０中左右方向）に位置移動させ、吐水の温度調節を行う。
尚図１０において、１４６は本体ボデー１２の端部にねじ込まれて温調弁ユニット１３８を本体ボデー１２に固定する円筒状の固定部材である。
【００６１】
上記の回転式の切替ハンドル４０もまた樹脂製のもので、図１５に示しているように、水栓本体１４における本体ボデー１２の内部に組み込まれた切替弁ユニット１４８の駆動軸（被固定部）１５０に一体回転状態に連結されている。
切替ハンドル４０は、駆動軸１５０を回転させることで、切替弁ユニット１４８のハウジング１５２内で回転体１５４を回転させ、その回転体１５４の回転により切替弁体を回転させ、流路の切替えを行う。即ち上記のカラン側の吐水口３２からの吐水と、シャワーエルボ３４からの吐水との切替えを行う。
また併せて、それら吐水口３２及びシャワーエルボ３４からの吐水の流量調節と吐止水とを行う。
尚図１５において、１５６は本体ボデー１２の端部にねじ込まれて切替弁ユニット１４８のハウジング１５２、つまり切替弁ユニット１４８を本体ボデー１２に固定する円筒状の固定部材である。
【００６２】
温調ハンドル３８は、図１０及び図１３に示しているように、カバー２０の外部に露出した有底の円筒形状の操作部１５８と、操作部１５８の径方向内側で操作部１５８から水栓本体１４側に向って図中右方向に延出し、上記の駆動軸１４０に操作力を伝達する伝達軸部１６０を一体に有している。
ここで伝達軸部１６０は、操作部１５８よりも小径の円筒状をなしている。
操作部１５８は、図中左端の底部に開口部１６２を有しており、その開口部１６２がキャップ１６４にて閉鎖されている。
【００６３】
この実施形態において、図６及び図１０に示しているように水栓本体１４の左右寸法に対してカバー２０の左右寸法が大きく、水栓本体１４に組み込まれた温調弁ユニット１３８の駆動軸１４０が、カバー２０の図中左端位置よりもカバー２０の内部且つ図中右側に大きく引き込んだ位置にある。
そこでこの実施形態では、伝達軸部１６０が水栓本体１４に向ってカバー２０内部に深く入り込んでおり、その先端部において温調弁ユニット１３８の駆動軸１４０にセレーション部材１６６を介し一体回転状態に連結されている。
【００６４】
詳しくは、図１３に示しているように伝達軸部１６０の先端部には雌セレーション部１６８が設けられており、その雌セレーション部１６８が、図１０に示しているようにセレーション部材１６６の外周面に形成された外周面の雄セレーション部１７０に噛合状態に嵌合されている。即ちセレーション嵌合されている。
【００６５】
セレーション部材１６６は、内周面に雌セレーション部１６８を有しており、その雌セレーション部１６８が、駆動軸１４０の外周面に形成された雄セレーション部１７０に噛合状態に嵌合されている。
温調ハンドル３８の回転は、これらセレーション部の噛合いに基づいて、リング状のセレーション部材１６６を介し温調弁ユニット１３８の駆動軸１４０に伝えられる。
尚、伝達軸部１６０には弾性爪１７２が設けられていて、この弾性爪１７２が、駆動軸１４０の部分球状の掛止部１７４に掛止されている。
【００６６】
更に弾性爪１７２は、軸状の押え部材１７６にて外周側から押えられて、開き方向に弾性変形阻止されており、これによって温調ハンドル３８が、駆動軸１４０から図１０中左方向に抜け防止されている。
操作部１５８に設けられた上記の開口部１６２は、この押え部材１７６を脱着するための開口部であり、その開口部１６２がキャップ１６４にて閉鎖されている。
【００６７】
この実施形態では、図１０に示すように温調ハンドル３８の上記の伝達軸部１６０が図中右方向に長く延びて、カバー２０の内部に深く入り込んでおり、伝達軸部１６０の先端部と駆動軸１４０との連結部が、温調ハンドル３８の操作部１５８に対して左右の軸方向に大きく離隔している。
そのため、カバー２０の外部に露出した操作部１５８に対してハンドル操作の際などに力が加わったとき、カバー２０内部に深く入り込んだ長い伝達軸部１６０が駆動軸部１４０との連結部、即ちセレーション嵌合部を支点として傾斜したり、或いは撓み変形したりする恐れがある。
そこでここでは、図１０に示すようにこれを防ぐためのハンドル支持部材１７８が設けてある。
【００６８】
このハンドル支持部材１７８は、金属製の剛性の部材で円筒形状をなしており、図１２にも示しているようにその先端部（図中右端部）の外周面に雄ねじ部１８０が設けてある。
ハンドル支持部材１７８は、この雄ねじ部１８０において水栓本体１４の雌ねじ部１８２にねじ締結されている。
即ちハンドル支持部材１７８は、ねじ締結手段にて軸方向の一端側が水栓本体１４に剛固定されており、そして図中左側の軸方向の他端側が、水栓本体１４から温調ハンドル３８の操作部１５８に向って延び出している。
【００６９】
尚、図１１（Ｂ）にも詳しく示しているように円筒形状をなすハンドル支持部材１７８は、雄ねじ部１８０側の先端面が全周に亘り軸直角方向の平坦な当接面１８４とされている。
一方水栓本体１４側、具体的には本体ボデー１２には、雌ねじ部１８２の奥側に隣接した位置に段付形状部が設けられており、そこに同じく全周に亘って軸直角方向の平坦面をなす、当接面１８６が設けられている。
【００７０】
ハンドル支持部材１７８は、その先端面の当接面１８４を水栓本体１４側の当接面１８６に強く押し付ける状態に、雄ねじ部１８０が雌ねじ部１８２にねじ込まれている。
これによってハンドル支持部材１７８が、ねじ部のバックラッシによって傾斜するのが防止され、ハンドル支持部材１７８が駆動軸１４０と正しく同軸をなすように水栓本体１４に組付固定されている。
ハンドル支持部材１７８は、長く延びた伝達軸部１６０を図中左端の開口から内部に嵌入させる状態に操作部１５８側に延びており、内部の伝達軸部１６０を外周側から支持している。
【００７１】
ハンドル支持部材１７８の図中左側の端部の内面、即ち伝達軸部１６０の付根側の端部の内面には、樹脂製（ここではＰＯＭ樹脂）の摺動リング１８８が内嵌状態に組み込んである。
この摺動リング１８８は、伝達軸部１６０の外面に接して伝達軸部１６０を摺動させる働きを有するもので、図１２及び図１４に示しているように周方向の所定個所に切目１９０が設けてあり、その切目１９０によって全体的に縮径方向に弾性変形可能とされている。
【００７２】
摺動リング１８８は、縮径方向に弾性変形させられた状態で、フランジ部１９２をハンドル支持部材１７８の軸端面に当接させる状態に、ハンドル支持部材１７８の軸端側の環状の凹所１９３内に嵌め込まれ、ハンドル支持部材１７８にて保持されている。
この摺動リング１８８は、外面の複数個所に凸部１９４が設けられており、摺動リング１８８は、これら凸部１９４においてハンドル支持部材１７８の凹部１９３の内面に当接せしめられている。
摺動リング１８８にはまた、その内面にも凸部１９６が周方向の複数個所に設けられており、これら凸部１９６において伝達軸部１６０の外面に接し、これを摺動させるようになっている。
【００７３】
この実施形態において、摺動リング１８８は、図１１（Ａ）に示しているように内面の凸部１９６がハンドル支持部材１７８の内面よりも伝達軸部１６０側に突出し、また凸部１９６を除いた他の部分の内面がハンドル支持部材１７８の内面と同一位置、即ち面一面をなすように構成されている。
但し摺動リング１８８の内面全体を、ハンドル支持部材１７８の内面よりも伝達軸部１６０側に突出させておくことも可能である。
【００７４】
このようにハンドル支持部材１７８の内面に樹脂製の摺動リング１８８を組み込み、伝達軸部１６０の外面をこの摺動リング１８８に摺動させることで、樹脂製の伝達軸部１６０の外面が金属製のハンドル支持部材１７８の内面に直接擦れるのを抑制ないし防ぐことができる。
特に摺動リング１８８をハンドル支持部材１７８の端部に組み込んでおくことで、伝達軸部１６０がハンドル支持部材１７８の内部で駆動軸１４０との連結部を支点として傾斜し或いは撓み変形しようとしたときに、摺動リング１８８をハンドル支持部材１７８の内面よりも優先して伝達軸部１６０の外面に接触させ易く、より有効に伝達軸部１６０の外面とハンドル支持部材１７８とが擦れ合うのを抑制ないし防止することができる。
【００７５】
更にこの実施形態では、摺動リング１８８の内面に部分的に突出した凸部１９６が設けてあり、これら凸部１９６が、ハンドル支持部材１７８の内面よりも伝達軸部１６０側に突出しているため、その凸部１９６と伝達軸部１６０との間のクリアランスを、ハンドル支持部材１７８の内面と伝達軸部１６０との間のクリアランスよりも小となし得て、より一層有効に摺動リング１８８を伝達軸部１６０に対して接触させることができるとともに、伝達軸部１６０がハンドル支持部材１７８内部で、それらの間のクリアランスに基づいて軸直角方向にがたつきを生じるのを効果高く抑制することができる。
【００７６】
図１０に示しているように、温調ハンドル３８の操作部１５８には、その操作方向及び操作状態を表示するための表示リング１９８が一体回転状態に組み付けられている。
この表示リング１９８は高温側が赤色に、低温側が青色に色分けされている。
この表示リング１９８に対応して、表示リング１９８の所定部位を指示する突起状の指示部２００（図１２参照）を備えた指示リング（ここでは樹脂製）２０２が固定状態に設けられている。
【００７７】
図１０において、２０４はこの指示リング２０２を保持し、これを水栓本体１４側に取り付けるための保持部材であって、樹脂製且つ円筒形状をなしている。
この保持部材２０４は、図１２にも示しているように図中右端側に部分的に大径をなす嵌合固定部２０６を有しており、この嵌合固定部２０６が、同じく部分的に大径化されたハンドル支持部材１７８の図中右端側の被固定部２０８に外嵌状態に嵌合されている。
【００７８】
詳しくは、嵌合固定部２０６の内面には、周方向に沿って複数個所にリブ状の押圧部２１０が所定間隔で設けられており、保持部材２０４は、これら押圧部２１０をハンドル支持部材１７８の被固定部２０８の外面に当接及び押圧することで、嵌合固定部２０６においてハンドル支持部材１７８の被固定部２０８に固定されている。
【００７９】
尚、保持部材２０４の嵌合固定部２０６からは位置決片２１２が軸方向に突出している。
一方水栓本体１４の本体ボデー１２には、対応する位置に切欠部２１４が設けられており、保持部材２０４は、位置決片２１２をこの切欠部２１４に軸方向に嵌め入れることによって、本体ボデー１２に対し回転方向に位置決めされている。
【００８０】
この保持部材２０４の、嵌合固定部２０６とは反対側の端部且つ内面側に、図１０に示すように径方向内向きに突出する内フランジ部２１６が設けられており、この内フランジ部２１６が、温調ハンドル３８における伝達軸部１６０の外面に対し、径方向に対峙せしめられている。
【００８１】
この保持部材２０４にはまた、内フランジ部２１６と同じ軸方向位置において、径方向外方に突出する外フランジ部２１８が設けられている。
図１２に示しているようにこの外フランジ部２１８の軸方向外方側には保持部２２０が設けられていて、そこに上記の指示リング２０２が外嵌状態に嵌め合され、保持されている。
ここで指示リング２０２は、周方向所定個所に切目２２２を有して、その切目２２２によって全体的に拡径方向に弾性変形可能とされている。
指示リング２０２は、その拡径方向の弾性変形を伴って、保持部材２０４の保持部２２０に外嵌状態に嵌め合されている。
【００８２】
この指示リング２０２には、周方向に延びる弾性爪２２４が内面に設けられている。
一方保持部２２０には、周方向に延びる溝２２６が外面に設けられており、指示リング２０２は、弾性爪２２４を溝２２６に弾性的に嵌め込むことによって、保持部材２０４から軸方向に抜け防止されている。
尚この保持部２２０には、周方向所定個所に位置決用の突起２２７が設けられている。
一方指示リング２０２には、対応する位置に溝２２８が設けられている。
指示リング２０２は、溝２２８を突起２２７に嵌め合せることによって、保持部材２０４に対し回転方向に位置決めされている。
【００８３】
保持部材２０４にはまた、指示リング２０２の内側において、ストッパ２３２（図１２参照）を備えたリング状のストッパ部材２３０が組み付けられ、保持されている。
ここでストッパ２３２は、温調ハンドル３８と一体に回転する、図１０に示す可動側のストッパ２３４とともに、温調ハンドル３８が自由に回転できる回転範囲を一定範囲内に回転規制するロック機構を構成している。
ここで回転側のストッパ２３４は、温調ハンドル３８に一体回転状態に組み付けられた、ロック解除のための解除操作部材２３６の先端部に一体に構成されている。
【００８４】
本実施形態において、切替ハンドル４０もまた温調ハンドル３８と同様の組付構造で組み付けられている。
その組付構造は基本的に温調ハンドル３８と同様であるので、図１５及び図１６に対応する部分について符号のみを示し、詳しい説明は省略する。
尚図１５及び図１６に示す切替ハンドルの組付構造にあっては、ハンドル支持部材１７８側に雌ねじ部１８２が設けられる一方、水栓本体１４側に雄ねじ部１８０が設けられ、それらのねじ締結によって、ハンドル支持部材１７８が一端側において水栓本体１４に剛固定されている。
【００８５】
またここでは前記の固定部材１５６の図中右端面を軸直角方向の平坦な当接面１８６として、そこにハンドル支持部材１７８の側の軸直角方向の平坦な当接面１８４を当接させる状態に、ハンドル支持部材１７８を水栓本体１４に、詳しくは本体ボデー１２にねじ込んで、ハンドル支持部材１７８を切替弁ユニット１４８の駆動軸１５０と同軸状に水栓本体１４側に組み付けるようにしている。
尚２３８は、切替ハンドル４０の操作状態を表示するための表示リングで、温調ハンドル３８側と同様にこの表示リング２３８が、円筒状の保持部材２０４にて保持されている。
【００８６】
以上のような本実施形態では、カバー２０、詳しくは上カバー４２，下カバー４４，隙間カバー４６の各固定部１０４，１２０，１２４の位置と、水栓本体１４の被固定部８６の位置が平面視において異なった位置であっても、ブラケット８２を介することでカバー２０を支障無く水栓本体１４に固定することができる。
それ故、カバー２０が水栓本体１４に対して平面視サイズの大きいものであっても、上カバー４２，下カバー４４，隙間カバー４６の各固定部１０４，１２０，１２４を所望の位置に、具体的には外周側縁部に近い位置に設けることができる。
【００８７】
特に上カバー４２にあっては、固定部１０４を上カバー４２の中央寄りの位置に設けると、上カバー４２成形時に固定部１０４周辺でひけを生じることによってカバー外観に悪影響が生じるが、固定部１０４を外周側縁部に近い位置に設けることで、固定部１０４の存在による外観への影響を可及的に小さく抑制でき、カバー全体の外観を大きく左右する上カバー４２の外観を良好に保持することができる。
また固定部１０４が外周側縁部に近い位置にあることによって、固定作業性も良好となる。
【００８８】
またカバー２０に人の力が加えられる等してカバー２０に荷重がかかった場合、カバー２０に設けた固定部１０４の位置に水栓本体１４が存在していなくても、カバー２０に加わった荷重をブラケット８２にて受け、荷重支持することができる。
【００８９】
また本実施形態では、荷重伝達部としての本体側固定部９０を水栓本体１４の上側に載せる構造でブラケット８２を水栓本体１４に固定していることから、ブラケット８２に加わった荷重を水栓本体１４の側に良好に伝達し、水栓本体１４にてその荷重をしっかりと受け、支えることができる。
【００９０】
また本実施形態では、ブラケット８２を、固定機能部８８を左，右に一対備え、それら左，右の固定機能部８８を、水栓本体１４に沿って左右方向に延びる連結本体部２５２及び連結本体部２５２から上下方向に折れ曲り、連結本体部２５２を補強する折曲げ部２５４を有する連結部１００で連結した形態の一体構造体となしていることから、横長の形状をなすカバー２０を、同じく横長の形状をなす水栓本体１４に良好に取付固定することができる。
またブラケット８２を高強度，高剛性の一体構造体となし得、カバー２０に加わった荷重を固定機能部８８だけでなくブラケット８２全体でしっかりと受け止め、その荷重を水栓本体１４へと伝えることができる。
例えば、左の固定機能部８８，右の固定機能部８８のそれぞれを単独で別体に構成し、カバー２０と水栓本体１４とを左，右の固定機能部８８単独で連結状態に固定した場合には、カバー２０に加わった荷重が左，右の一対の固定機能部８８だけに集中的に強く作用することとなり、この場合、固定機能部８８がその荷重に耐え切れずに変形を生ずるなどして、カバー２０からの荷重をしっかりと受けることが難しい。
【００９１】
しかるにブラケット８２を、左の固定機能部８８と右の固定機能部８８とを上記の連結部１００で連結した一体構造体となしておくことで、固定機能部８８に加わった荷重を左，右の固定機能部８８だけでなく一体構造体をなすブラケット８２全体で受けることができる。
【００９２】
更に本実施形態では、隙間カバー４６を、ブラケット８２により壁Ｗに向って前後方向にスライド可能に保持するようになしているため、かかる隙間カバー４６を本体カバー２１にてスライド可能に保持する場合に比べて、隙間カバー４６の保持及び固定の構造を簡素化することができる。
【００９３】
以上本発明の実施形態を詳述したがこれはあくまで一例示である。
例えば本発明は隙間カバーや下カバーを備えていないカバー付き水栓に適用することも可能であるし、ブラケットを上例以外の他の様々な形態で構成することも可能である。
また上例では固定機能部８８を本体側固定部９０から左右方向に延び出させてカバー側固定部９２を本体側固定部９０に対し左右方向に離隔して位置させ、そこにカバーを固定するようにしているが、場合によって固定機能部８８を本体側固定部９０から前後方向に延び出させてカバー側固定部９２を本体側固定部９０に対し前後方向に離隔して位置させ、そこにカバーを固定するようになすといったことも可能である等、本発明はその趣旨を逸脱しない範囲において種々変更を加えた形態で構成可能である。
【符号の説明】
【００９４】
１０  カバー付き水栓
１４  水栓本体
１６，１８  クランク脚
２０  カバー
２１  本体カバー
４２  上カバー
４４  下カバー
４６  隙間カバー
８２  ブラケット
８８  固定機能部
９０  本体側固定部（荷重伝達部）
９２  カバー側固定部
１００  連結部
２５２  連結本体部
２５４  折曲げ部
【図１】
0005935093.tif 000002
【図２】
0005935093.tif 000003
【図３】
0005935093.tif 000004
【図４】
0005935093.tif 000005
【図５】
0005935093.tif 000006
【図６】
0005935093.tif 000007
【図７】
0005935093.tif 000008
【図８】
0005935093.tif 000009
【図９】
0005935093.tif 000010
【図１０】
0005935093.tif 000011
【図１１】
0005935093.tif 000012
【図１２】
0005935093.tif 000013
【図１３】
0005935093.tif 000014
【図１４】
0005935093.tif 000015
【図１５】
0005935093.tif 000016
【図１６】
0005935093.tif 000017